(57)【要約】【課題】使用者を混乱させることのない異常発生の表示ができるようにする。【解決手段】異常検知手段の検知結果から、操作手段の特定の操作がある前は、異常の内容を使用者による対処が不可能な情報を除いて表示手段に表示させ〔図１の（ａ）〕、操作手段の特定の操作があったときに、使用者による対処が不可能な情報を表示手段に表示させる〔図１の（ｂ）〕。それにより、運転中の異常発生時には、操作手段の特定の操作がなければ、使用者による対処が不可能な情報は表示しないのであるから、使用者を対処不可能な情報で混乱させることがなくなる。【選択図】図１
2010004930.tif 000002
【特許請求の範囲】
【請求項１】
表示手段と、
使用者による特定の操作が可能な操作手段と、
運転中の異常を検知する異常検知手段とを具備すると共に、
その異常検知手段の検知結果から、前記操作手段の特定の操作がある前は、異常の内容を使用者による対処が不可能な情報を除いて前記表示手段に表示させ、前記操作手段の特定の操作があったときに、使用者による対処が不可能な情報を前記表示手段に表示させる制御手段を具備したことを特徴とする洗濯機。
【請求項２】
表示手段が、使用者による対処が不可能な情報を、特定の発光表示部の発光により表示することを特徴とする請求項１記載の洗濯機。
【請求項３】
表示手段が、使用者による対処が不可能な情報を、操作手段の特定の操作がある前の表示と異ならせて表示することを特徴とする請求項１記載の洗濯機。
【発明の詳細な説明】
【技術分野】
【０００１】
本発明は、運転中の異常の発生を表示する機能を有する洗濯機に関する。
【背景技術】
【０００２】
従来より、洗濯機においては、運転中、異常が発生したときに、それを表示する機能を有するものが供されている。図１２は、その表示の従来の例を示しており、７セグメントの表示素子が４桁分あって、そのうちの下３桁の「Ｅ６４」の文字により異常の表示をしている。この表示は、例えば「Ｅ」がエラー（異常）の発生を表し、「６」が異常の発生箇所（例えばモータなど）を表し、そして、「４」が異常の内容（例えば作動しないなど）を表しており（例えば特許文献１参照）、それらは洗濯機の取扱説明書に記載されている。
【特許文献１】特許第２５２３７４８号公報
【発明の開示】
【発明が解決しようとする課題】
【０００３】
上記従来の表示において、異常の発生箇所が作動しないことを表した「４」は、交換など、サービスマンによる対処が必要な情報であって、要するに使用者による対処が不可能な情報である。それにも拘らず、それを表示しているため、使用者が混乱するおそれを有していた。
【０００４】
本発明は上述の事情に鑑みてなされたものであり、従ってその目的は、使用者を混乱させることのない異常発生の表示ができる洗濯機を提供するにある。
【課題を解決するための手段】
【０００５】
上記目的を達成するために、本発明の洗濯機においては、表示手段と、使用者による特定の操作が可能な操作手段と、運転中の異常を検知する異常検知手段とを具備すると共に、その異常検知手段の検知結果から、前記操作手段の特定の操作がある前は、異常の内容を使用者による対処が不可能な情報を除いて前記表示手段に表示させ、前記操作手段の特定の操作があったときに、使用者による対処が不可能な情報を前記表示手段に表示させる制御手段を具備したことを特徴とする（請求項１の発明）。
【発明の効果】
【０００６】
上記手段によれば、運転中の異常発生時には、操作手段の特定の操作がなければ、使用者による対処が不可能な情報は表示しないのであるから、使用者を対処不可能な情報で混乱させることがなくなる。
【発明を実施するための最良の形態】
【０００７】
以下、本発明の第１実施例（第１の実施形態）につき、図１ないし図５を参照して説明する。
まず、図２には、洗濯機の全体構成を示しており、外箱１の内部に、水槽２を、複数本（１本のみ図示）の吊り棒３ａを主体とする弾性吊持機構３により弾性支持して配設しており、水槽２の内部には、回転槽４を配設している。
【０００８】
回転槽４は、周側壁の全域に脱水孔５を多数（一部のみ図示）有するバスケット状を成しており、上縁部には例えば液体封入形の回転バランサ６を取付けている。回転槽４の内部には、底部に撹拌体７を配設しており、更に、水槽２の底部から外下方部には、駆動装置８を配設している。駆動装置８は、例えばアウターロータ形の直流ブラシレスモータを主体としており、その内部にクラッチ機構（図示せず）を内蔵していて、運転中の洗濯（洗い、すすぎ）時に回転槽４を制止して撹拌体７を例えば正逆両方向に交互に直接回転させ、脱水時に回転槽４を撹拌体７と共に一方向に直接回転させるようになっている。
【０００９】
このほか、水槽２の底部には排水弁９を接続し、排水弁９に排水ホース１０を接続している。
一方、水槽２の上縁部にはリング状の水槽カバー１１を装着しており、外箱１上にはトップカバー１２を装着していて、そのトップカバー１２に例えば二つ折りの蓋１３を設けている。
【００１０】
次いで、図３には、操作パネル１４を示しており、この操作パネル１４は、例えば前記トップカバー１２の前部の上面に設けていて、右より順に、電源を投入するための電源入スイッチ１５と、電源を遮断するための電源切スイッチ１６、運転を開始させるためのスタートスイッチ１７、運転のコースを設定するためのコーススイッチ１８、運転の予約を設定するための予約スイッチ１９、脱水の行程を設定するための脱水スイッチ２０、すすぎの行程を設定するためのすすぎスイッチ２１、洗いの行程を設定するための洗いスイッチ２２、水位を設定するための水位スイッチ２３、水流を設定するための水流スイッチ２４を有すると共に、そのうちの電源入スイッチ１５と、電源切スイッチ１６、及びスタートスイッチ１７を除く他のスイッチ１８〜２４に対応する表示部２５〜２９を表示手段として有している。
【００１１】
上記表示部２５〜２９のうち、特に表示部２７は７セグメントの表示素子２７ａを４桁分有して、文字表示をするデジタル表示部となっており、そのほかの表示部２５，２６，２８，２９は発光器（特にはＬＥＤ）にて発光表示をする発光表示部となっている。
【００１２】
これに対して、図４は、制御装置３０を主体とする電気的構成を示しており、その中核である制御装置３０は、上記操作パネル１４の裏側（トップカバー１２内）に配設したマイクロコンピュータから成っており、洗濯機の機能全般を制御する制御手段たるものである。この制御装置３０には、上記電源入スイッチ１５から電源の投入信号が入力されると共に、電源切スイッチ１６から電源の遮断信号が入力され、その他の操作スイッチ１７〜２４から各種操作信号が入力されるようになっている。
【００１３】
そのほか、制御装置３０には、前記蓋１３の開閉を検知する蓋スイッチ３１から蓋開閉検知信号が入力され、前記水槽２内の水位を検知するように設けた水位センサ３２からは水位検知信号が、前記駆動装置８の温度を検知するように設けた温度センサ３３からは温度検知信号が、駆動装置８の電流を検知するように設けた電流センサ３４からは電流検知信号が、駆動装置８の回転（ひいては回転槽４や撹拌体７の回転）を検知するように設けた回転センサ３５からは回転検知信号が、水槽２（回転槽４）の振動を検知する振動センサ３６からは振動検知信号が、それぞれ入力されるようになっている。
【００１４】
そして、それらの入力並びにあらかじめ記憶された制御プログラムに基づいて、制御装置３０は、前記各種表示部２５〜２９と、ブザー３７とにそれぞれ駆動信号を与えると共に、前記水槽２内に給水するように設けた給水弁３８と、前記排水弁９、及び駆動装置８を駆動する駆動回路３９に駆動制御信号を与えるようになっており、更に、不揮発性メモリ（ＥＥＰＲＯＭ）４０との間で記憶情報を授受するようになっている。
【００１５】
次に、上記構成のものの作用を述べる。
図５は、制御装置３０による洗濯機の制御内容を、異常の発生の有無に限って示しており、運転がスタートされると（ステップＳ１）、制御装置３０は、前記各種検知信号から異常が検知されたか否かの判断をする（ステップＳ２）。従って、制御装置３０は運転中の異常を検知する異常検知手段として機能するものであり、異常が検知されていない（ＮＯ）と判断されれば、運転を進めて終了する（ステップＳ３）。
【００１６】
それに対して、ステップＳ２で、異常が検知された（ＹＥＳ）と判断されれば、制御装置３０は、洗濯機の運転を全面的に停止させると共に、前記７セグメントの表示素子２７ａを４桁分有する表示部２７に、異常の概略表示をさせる（ステップＳ４）。この異常の概略表示は、図１の（ａ）に示すとおりであり、例えば上２桁の「Ｅ６」の文字による表示をさせる。この場合、「Ｅ」がエラー（異常）の発生を表し、「６」が異常の発生箇所（例えばモータなど）を表しており、それらは洗濯機の取扱説明書に記載されている。
【００１７】
次いで、制御装置３０は、使用者による特定の操作があったか否かの判断をする（ステップＳ５）。この特定の操作は、この場合、水位スイッチ２３と洗いスイッチ２２とを同時に操作することであり、従って、このときに、その両スイッチ２３，２２が、使用者による特定の操作をする操作手段として機能する。
【００１８】
上記ステップＳ５で、特定の操作がなかった（ＮＯ）と判断されれば、ステップＳ４に戻り、すなわち、表示部２７に上記「Ｅ６」の文字による表示をさせたままであるが、それに対して、特定の操作があった（ＹＥＳ）と判断されれば、表示部２７に、図１の（ｂ）に示すように、桁数が増える「Ｅ６４」の文字による詳細表示をさせる（ステップＳ６）。この場合、先の「Ｅ６」の表示に加わった「４」の文字による表示は、異常の内容（例えば作動しないなど）を表しており、それは、交換など、サービスマンによる対処が必要な情報であって、要するに使用者による対処が不可能な情報であり、サービスマンによる対処が必要であることが洗濯機の取扱説明書に記載されている。
【００１９】
このように本構成のものでは、異常の発生時、操作手段の特定の操作がある前は、異常の内容を使用者による対処が不可能な情報を除いて表示部２７に表示させ、操作手段の特定の操作があったときに、使用者による対処が不可能な情報を表示部２７に表示させるものであり、操作手段の特定の操作がなければ、使用者による対処が不可能な情報は表示しないのであるから、使用者を対処不可能な情報で混乱させることがなくなる。
【００２０】
以上に対して、図６ないし図１１は本発明の第２ないし第６実施例（第２ないし第６の実施形態）を示すもので、それぞれ、第１実施例と同一の部分には同一の符号を付して説明を省略し、異なる部分についてのみ述べる。
【００２１】
［第２実施例］
図６に示す第２実施例においては、使用者による特定の操作をする操作手段を、第１実施例の水位スイッチ２３と洗いスイッチ２２とに代えて、制御装置３０を有する回路４１におけるポイントＡとポイントＢとしており、その両ポイントＡ，Ｂをつなぐことにより、制御装置３０の検知ポート４２に信号が入力される。これにより、制御装置３０が、使用者による対処が不可能な情報を表示部２７に表示させる。
このようにしても第１実施例と同様の作用効果を得ることができる。
【００２２】
［第３実施例］
図７に示す第３実施例においては、異常発生時の使用者による対処が不可能な情報を表示する表示手段を、第１実施例の表示部２７の３桁目の表示素子２７ａに代えて、特定の発光表示部、この場合、コース表示部２５中の「標準」、「つけおき」、「スピーディ」の表示をする表示部２５ａ〜２５ｃとしており、これらの発光により異常発生時の使用者による対処が不可能な情報を表示し、サービスマンによる対処が必要であることが洗濯機の取扱説明書に記載されている。
【００２３】
なお、「標準」、「つけおき」、「スピーディ」の表示をする表示部２５ａ〜２５ｃで表示したのと異なる表示をする場合には、他の発光表示部、例えば「メモリー」、「ドライ」、「毛布」の表示をする表示部２５ｄ〜２５ｆ等で表示する。
このようにしても第１実施例と同様の作用効果を得ることができる。又、この場合、表示部２７が２桁を表示するもので足る（４桁を表示するものをことさら要しない）効果もある。
【００２４】
［第４実施例］
図８及び図９に示す第４実施例においては、表示部２７に、異常発生時の使用者による対処が不可能な情報を、操作手段の特定の操作がある前の表示と異ならせて表示させるようにしており、具体的には、表示部２７に、操作手段の特定の操作がある前は、図８の（ａ）に示すように「Ｅ６」表示をさせて、操作手段の特定の操作があったときに、図８の（ｂ）に示すように「０３」の表示をさせるようにしている。
【００２５】
この場合、最初の「Ｅ６」で、エラー（異常）の発生と異常の発生箇所とを表している点は第１実施例と同じであり、切り替わった次の「０３」では、その内容が、図９から明らかなように、例えば「モータが回転しない」であって、それの対処が「モータの交換」であり、サービスマンによる対処が必要であることが洗濯機の取扱説明書の記載から分かるようになっている。
このようにしても第１実施例と同様の作用効果を得ることができる。又、この場合も、表示部２７が２桁を表示するもので足る（４桁を表示するものをことさら要しない）効果もある。
【００２６】
［第５実施例］
図１０に示す第５実施例においては、先のフローチャートにおけるステップＳ２で、異常が判断された（ＹＥＳ）と判断された後に、特定のモード設定がされているか否かの判断をし（ステップＳ１０１）、されていない（ＮＯ）と判断されれば、ステップＳ４、Ｓ５、Ｓ６を経てステップＳ６に進むが、されている（ＹＥＳ）と判断されれば、運転を停止させることだけを行って（ステップＳ１０２）、ステップＳ６に進む。
【００２７】
すなわち、このものは、運転開始前に特定のモード設定がされていれば、異常の発生時に特定の操作がなくても、異常の詳細内容（使用者による対処が不可能な情報）を表示するようにしているものであって、このようにすれば、異常の発生時に、使用者による対処が不可能な情報を知ることが速やかにできる。
【００２８】
［第６実施例］
図１１に示す第６実施例においては、先のフローチャートにおけるステップＳ６の後に、不揮発性メモリ４０に記憶することを行う（ステップＳ２０１）。この場合、記憶する内容は、特定操作で確認できる詳細情報（使用者による対処が不可能な情報）を含むものとする。
このようにすることで、過去の異常の発生状況、並びにその詳細情報についても、その後、不揮発性メモリ４０の記憶内容を読み出すことにより、所望に確認することができる。
【００２９】
このほか、本発明は上記し且つ図面に示した実施例にのみ限定されるものではなく、要旨を逸脱しない範囲内で適宜変更して実施し得る。
【図面の簡単な説明】
【００３０】
【図１】本発明の第１実施例を示す、表示部の特定操作前（ａ）の平面図と特定操作後（ｂ）の平面図
【図２】洗濯機全体の破断側面図
【図３】操作パネルの平面図
【図４】電気的構成のブロック図
【図５】作用説明用のフローチャート
【図６】本発明の第２実施例を示す一部の回路図
【図７】本発明の第３実施例を示す操作パネルの特定操作前（ａ）の平面図と特定操作後（ｂ）の平面図
【図８】本発明の第４実施例を示す図７相当図
【図９】表示の番号と異常の詳細内容を対比表で示す図
【図１０】本発明の第５実施例を示す図５相当図
【図１１】本発明の第６実施例を示す図５相当図
【図１２】従来例を示す表示部の平面図
【符号の説明】
【００３１】
図面中、２２は洗いスイッチ（操作手段）、２３は水位スイッチ（操作手段）、２５は表示部（表示手段、発光表示部）、２７は表示部（表示手段）、３０は制御装置（異常検知手段、制御手段）を示す。
【図１】
2010004930.tif 000003
【図２】
2010004930.tif 000004
【図３】
2010004930.tif 000005
【図４】
2010004930.tif 000006
【図５】
2010004930.tif 000007
【図６】
2010004930.tif 000008
【図７】
2010004930.tif 000009
【図８】
2010004930.tif 000010
【図９】
2010004930.tif 000011
【図１０】
2010004930.tif 000012
【図１１】
2010004930.tif 000013
【図１２】
2010004930.tif 000014